【手続補正書】
【提出日】平成16年12月14日(2004.12.14)
【手続補正１】
【補正対象書類名】明細書
【補正対象項目名】発明の名称
【補正方法】変更
【補正の内容】
【発明の名称】画像処理装置及び携帯端末並びに動画取得方法
【手続補正２】
【補正対象書類名】明細書
【補正対象項目名】特許請求の範囲
【補正方法】変更
【補正の内容】
【特許請求の範囲】
【請求項１】
記録手段に記録されている動画主画像に対して、動画像の画素数若しくは階調を減少する処理を実施した動画サムネイル、又は、前記動画像のフレーム数を減少させる処理を実施した動画サムネイルを生成する動画サムネイル生成手段と、
前記動画主画像の代表画像に対して画素数若しくは階調を減少する処理を実施した静止画サムネイルを生成する静止画サムネイル生成手段と、
前記動画主画像と前記動画サムネイルと前記静止画サムネイルとを関連付けて記録する記録手段と、
を備えたことを特徴とする画像処理装置。
【請求項２】
前記動画サムネイル生成手段及び静止画サムネイル生成手段は、それぞれ同じ画素数の動画サムネイル及び静止画サムネイルを生成することを特徴とする請求項１に記載の画像処理装置。
【請求項３】
他の通信機器から動画サムネイルの画素数若しくは階調、又はフレームレートに関する動画サムネイル情報を受信し、該動画サムネイル情報に基づいて、記録手段に記録されている動画主画像に対して動画像の画素数若しくは階調を減少する処理を実施した動画サムネイル、又は、前記動画像のフレーム数を減少させる処理を実施した動画サムネイルを生成する動画サムネイル生成手段と、
前記動画主画像と前記動画サムネイルとを関連付けて記録する画像記録手段、又は、前記動画主画像と前記動画サムネイルとを関連付けて他の通信機器に送信する送信手段と、  を備えたことを特徴とする画像処理装置。
【請求項４】
動画サムネイルの画素数若しくは階調又はフレームレートに関する動画サムネイル情報を他の通信機器に送信する送信手段と、
前記他の通信機器にて動画主画像から前記動画サムネイル情報に基づいて生成された動画サムネイルを他の通信機器から受信する受信手段と、
前記受信した動画サムネイルを動画として表示する表示手段と、
を備えたことを特徴とする携帯端末。
【請求項５】
請求項１又は２に記載の画像処理装置に対して動画主画像に対する静止画サムネイル及び／又は動画サムネイルを要求し、該画像処理装置から静止画サムネイル及び／又は動画サムネイルを取得する送受信手段と、
前記取得した静止画サムネイル及び／又は動画サムネイルを表示する表示手段と、を備え、
前記表示手段は、前記動画サムネイルを表示する際に、同一の動画主画像に対する静止画サムネイルが表示される領域に動画サムネイルを表示することを特徴とする携帯端末。【請求項６】
第１の通信機器と第２の通信機器との間で通信し、前記第２の通信機器からの動画取得要求に応じて前記第１の通信機器から動画主画像を通信により取得する動画取得方法において、
前記第１の通信機器は、動画主画像に対して静止画サムネイル及び動画サムネイルを作成し、
前記第２の通信機器は、前記第１の通信機器に対して動画主画像に対する静止画サムネイルを要求し、該第１の通信機器から静止画サムネイルを取得するとともに、該静止画サムネイルを表示し、
前記第２の通信機器は、前記表示された静止画サムネイルに基づいて１つの静止画サムネイルを選択し、前記第１の通信機器に対して前記選択した静止画サムネイルに対応する動画サムネイルを要求し、該第１の通信機器から動画サムネイルを取得するとともに、該動画サムネイルを動画として表示し、
前記第２の通信機器は、前記表示された静止画サムネイル又は動画サムネイルに基づいて前記第１の通信機器に対して所望の動画主画像を要求し、該第１の通信機器から動画主画像を取得することを特徴とする動画取得方法。
【請求項７】
前記第１の通信機器は、動画主画像に対する動画サムネイルを作成する際に、前記第２の通信機器から該第２の通信機器が表示可能な動画サムネイルの仕様を取得し、その仕様を満たす動画サムネイルを作成することを特徴とする請求項６に記載の動画取得方法。
【請求項８】
前記第２の通信機器は、前記動画サムネイルの取得後に該動画サムネイルを表示することを特徴とする請求項６又は７に記載の動画取得方法。
【請求項９】
前記第２の通信機器は、前記動画サムネイルをストリーム画像として実時間で取得しながら表示することを特徴とする請求項６又は７に記載の動画取得方法。
【請求項１０】
前記第１の通信機器は、前記静止画サムネイルのデータ量とその転送時間から前記第２の通信機器との間の実行転送レートを計算し、この実行転送レートにより前記動画サムネイルのサイズを調整することを特徴とする請求項６乃至９のいずれかに記載の動画取得方法。
【請求項１１】
前記第１の通信機器は、前記静止画サムネイルのデータ量とその転送時間から前記第２の通信機器との間の実行転送レートを計算し、前記動画サムネイルの単位時間当たりデータ量が前記実行転送レートを超えない最大の値となるように前記実行転送レートにより前記動画サムネイルのサイズを調整することを特徴とする請求項９に記載の動画取得方法。
【手続補正３】
【補正対象書類名】明細書
【補正対象項目名】０００１
【補正方法】変更
【補正の内容】
【０００１】
【発明の属する技術分野】
本発明は、画像処理装置及び携帯端末並びに動画取得方法に係り、特に動画主画像から動画の縮小画像である動画サムネイルを生成して携帯端末に送信して表示することが可能な画像処理装置及び携帯端末並びに動画取得方法に関する。
【手続補正４】
【補正対象書類名】明細書
【補正対象項目名】００１５
【補正方法】変更
【補正の内容】
【００１５】
また、本発明は、処理可能な動画像の画素数等の動画サムネイル情報を画像処理装置に送信して、当該動画サムネイル情報に基づいた動画像を画像処理装置から素早く受信して表示することが可能な携帯端末を提供することを目的としている。
更に、本発明は、動画主画像に対応する静止画サムネイル及び動画サムネイルを併用することで所望の動画主画像を最小限のデータ通信量で確認し、その確認した動画主画像を取得することができる動画取得方法を提供することを目的としている。
【手続補正５】
【補正対象書類名】明細書
【補正対象項目名】００２３
【補正方法】変更
【補正の内容】
【００２３】
本発明によれば、動画サムネイルの画素数若しくは階調又はフレームレートに関する動画サムネイル情報を画像処理装置等に送信する送信手段と、動画サムネイルを画像処理装置等から受信する受信手段と、前記受信手段が受信した動画サムネイルを動画として表示する表示手段とを備えたので、動画サムネイル情報に基づいた動画像を画像処理装置等から素早く受信するとともに表示することが可能となる。
更に、本発明は前記目的を達成するために、第１の通信機器と第２の通信機器との間で通信し、前記第２の通信機器からの動画取得要求に応じて前記第１の通信機器から動画主画像を通信により取得する動画取得方法において、前記第１の通信機器は、動画主画像に対して静止画サムネイル及び動画サムネイルを作成し、前記第２の通信機器は、前記第１の通信機器に対して動画主画像に対する静止画サムネイルを要求し、該第１の通信機器から静止画サムネイルを取得するとともに、該静止画サムネイルを表示し、前記第２の通信機器は、前記表示された静止画サムネイルに基づいて１つの静止画サムネイルを選択し、前記第１の通信機器に対して前記選択した静止画サムネイルに対応する動画サムネイルを要求し、該第１の通信機器から動画サムネイルを取得するとともに、該動画サムネイルを動画として表示し、前記第２の通信機器は、前記表示された静止画サムネイル又は動画サムネイルに基づいて前記第１の通信機器に対して所望の動画主画像を要求し、該第１の通信機器から動画主画像を取得することを特徴としている。
前記第１の通信機器に対して所望の動画主画像を要求する第２の通信機器は、まず、動画主画像に対応する静止画サムネイルを第１の通信機器の要求し、静止画サムネイルを取得して表示する。続いて、静止画サムネイルから所望の動画主画像かどうかを確認する場合、その静止画サムネイルに対応する動画サムネイルを前記第１の通信機器に要求し、動画サムネイルを取得して動画として表示させる。このようにして動画主画像を確認して所望の動画主画像を確実に取得するようにしている。尚、静止画サムネイルで所望の動画主画像が特定可能であれば、この静止画サムネイルに関連して動画主画像を直ちに取得するようにしてもよい。
【手続補正６】
【補正対象書類名】明細書
【補正対象項目名】００２４
【補正方法】変更
【補正の内容】
【００２４】
【発明の実施の形態】
以下添付図面に従って、本発明に係る画像処理装置及び携帯端末並びに動画取得方法の好ましい実施の形態について詳説する。